Podtech/llm-jp-corpus-v4-ja_patent huggingface dataset:
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
所定の判定条件が成立したことに基づいて抽選を行う抽選手段と、  該抽選手段の抽選結果に基づき、少なくとも所定の図柄情報が変動表示される変動表示手段と、  前記抽選手段による抽選結果に基づき、遊技者に有利な利益付与状態を導出する利益付与手段と、  遊技状態を、通常状態とは異なる特別状態に制御可能な特別状態制御手段とを備え、  前記利益付与状手段にて前記利益付与状態を導出する際、前記変動表示手段にて特定の表示結果を表示する遊技機において、  複数種類の演出態様を記憶する演出態様記憶手段と、  前記所定の判定条件の成立に基づき、演出態様を移行するか否かを判定する演出態様移行判定手段と、  該演出態様移行判定手段にて前記演出態様を移行するとの判定がなされたときに、前記演出態様記憶手段に記憶された前記演出態様を、所定の順序で選択する演出態様選択制御手段と、  該演出態様選択制御手段にて選択された演出態様を前記変動表示手段に表示制御する演出態様表示制御手段と、  遊技者に認識させることなく、遊技者の生体情報を取得する生体情報取得手段と、  該生体情報取得手段にて取得された前記生体情報に基づき、遊技者を予め定められた範疇に分類する遊技者分類手段と、  該遊技者分類手段にて分類された範疇に対応する前記演出態様を固有演出態様として決定する固有演出態様決定手段と、  該固有演出態様決定手段にて決定された前記固有演出態様を特定可能な情報を、遊技者に知らせることなく記憶する固有演出態様記憶手段とを備え、  前記演出態様選択制御手段は、前記特別状態制御手段によって遊技状態が前記特別状態に制御される場合には、所定のタイミングにおいて、遊技状態が前記通常状態に制御されるときよりも高い割合で、前記固有演出態様記憶手段に記憶された情報に基づき前記固有演出態様を選択することを特徴とする遊技機。
【請求項２】
請求項１に記載の遊技機において、  前記生体情報取得手段は、遊技者が操作する操作手段に設けられていることを特徴とする遊技機。
【請求項３】
請求項１又は２に記載の遊技機において、  前記生体情報取得手段にて取得される前記生体情報の取得間隔に基づく取得間隔情報により、遊技者の同一性を推定する同一性推定手段を備え、  前記同一性推定手段にて遊技者の同一性が否定された場合に限って、前記固有演出態様決定手段にて前記固有演出態様が決定されると共に、前記固有演出態様記憶手段に前記固有演出態様を特定可能な情報が記憶されることを特徴とする遊技機。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
所定の判定条件が成立したことに基づいて抽選を行う抽選手段と、  該抽選手段の抽選結果に基づき、少なくとも所定の図柄情報が変動表示される変動表示手段と、  前記抽選手段による抽選結果に基づき、遊技者に有利な利益付与状態を導出する利益付与手段と、  遊技状態を、通常状態とは異なる特別状態に制御可能な特別状態制御手段とを備えた遊技機において、  複数種類の演出態様を記憶する演出態様記憶手段と、  前記所定の判定条件の成立に基づき、演出態様を移行するか否かを判定する演出態様移行判定手段と、  該演出態様移行判定手段により前記演出態様を移行する判定がなされたときに、前記演出態様記憶手段に記憶された前記演出態様を所定の順序で選択する演出態様選択制御手段と、  該演出態様選択制御手段により選択された演出態様を前記変動表示手段に表示制御する演出態様表示制御手段と、  遊技者の生体情報を取得する生体情報取得手段と、  該生体情報取得手段にて取得される前記生体情報と過去に取得された生体情報とに基づき、遊技者の同一性を判断する同一性判断手段と、  該同一性判断手段にて判断される遊技者の同一性に基づき、同一の遊技者による遊技継続状況を判断する遊技継続状況判断手段と、  前記生体情報取得手段にて取得される前記生体情報に基づき、遊技者を予め定められた範疇に分類する遊技者分類手段と、  該遊技者分類手段にて分類された範疇に対応する前記演出態様を固有演出態様として決定する固有演出態様決定手段と、  該固有演出態様決定手段にて決定された前記固有演出態様を遊技者に認識させるべく報知する固有演出態様報知手段とを備え、  前記演出態様表示制御手段は、前記演出態様を表示制御する場合、前記遊技継続状況判断手段による前記遊技継続状況に応じて、前記変動表示手段に前記演出態様に対応する特別態様の表示制御を行い、  前記演出態様移行判定手段は、前記演出態様表示制御手段が前記演出態様として前記固有演出態様を表示制御した後の前記図柄情報の変動表示にて、前記特別状態制御手段により遊技状態が前記特別状態に制御されているときは、遊技状態が前記通常状態に制御されているときよりも高い割合で、前記固有演出態様を継続する判定を行うことを特徴とする遊技機。
【請求項２】
請求項１に記載の遊技機において、  前記演出態様表示制御手段は、前記演出態様に対応する前記特別態様の表示制御として、前記演出態様に通常時とは異なる情報を付加した態様の表示制御を行うことを特徴とする遊技機。
【請求項３】
請求項２に記載の遊技機において、  前記通常時とは異なる情報は、遊技者にとって有益となり得る遊技関連情報であることを特徴とする遊技機。
【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
所定の判定条件が成立したことに基づいて抽選を行う抽選手段と、
該抽選手段の抽選結果に基づき、少なくとも所定の図柄情報が変動表示される変動表示
手段と、
前記抽選手段による抽選結果に基づき、遊技者に有利な利益付与状態を導出する利益付
与手段と、
遊技状態を、通常状態とは異なる特別状態に制御可能な特別状態制御手段とを備え、
前記利益付与状手段にて前記利益付与状態を導出する際、前記変動表示手段にて特定の
表示結果を表示する遊技機において、
複数種類の演出態様を記憶する演出態様記憶手段と、
前記所定の判定条件の成立に基づき、演出態様を移行するか否かを判定する演出態様移
行判定手段と、
該演出態様移行判定手段にて前記演出態様を移行するとの判定がなされたときに、前記
演出態様記憶手段に記憶された前記演出態様を、所定の順序で選択する演出態様選択制御
手段と、
該演出態様選択制御手段にて選択された演出態様を前記変動表示手段に表示制御する演
出態様表示制御手段と、
遊技者に認識させることなく、遊技者の生体情報を取得する生体情報取得手段と、
該生体情報取得手段にて取得された前記生体情報に基づき、遊技者を予め定められた範
疇に分類する遊技者分類手段と、
該遊技者分類手段にて分類された範疇に対応する前記演出態様を固有演出態様として決
定する固有演出態様決定手段と、
該固有演出態様決定手段にて決定された前記固有演出態様を遊技者に認識させるべく報
知する固有演出態様報知手段とを備え、
前記演出態様移行判定手段は、前記演出態様表示制御手段が前記演出態様として前記固
有演出態様を表示制御した後の前記図柄情報の変動表示にて、前記特別状態制御手段によ
り遊技状態が前記特別状態に制御されているときは、遊技状態が前記通常状態に制御され
ているときよりも高い割合で、前記固有演出態様を継続する判定を行うことを特徴とする
遊技機。
【請求項２】
請求項１に記載の遊技機において、
前記生体情報取得手段は、遊技者が操作する操作手段に設けられていることを特徴とす
る遊技機。
【請求項３】
請求項１又は２に記載の遊技機において、
前記生体情報取得手段にて取得される前記生体情報の取得間隔に基づく取得間隔情報に
より、遊技者の同一性を推定する同一性推定手段を備え、
前記同一性推定手段にて遊技者の同一性が否定された場合に限って、前記固有演出態様
決定手段にて前記固有演出態様が決定されると共に、前記固有演出態様報知手段にて前記
固有演出態様を報知することを特徴とする遊技機。
【手続補正書】
【提出日】平成21年4月21日(2009.4.21)
【手続補正１】
【補正対象書類名】特許請求の範囲
【補正対象項目名】請求項８
【補正方法】変更
【補正の内容】
【請求項８】
前記制御部は、前記未装着時撮影では、放射線照射領域を含む前記読み出し手段及び前記駆動手段を動作させ、前記放射線照射領域以外の領域の前記読み出し手段及び前記駆動手段を動作させない又は消費電流を低減させるように前記平面検出器を制御することを特徴とする請求項２記載の放射線撮像装置。
【手続補正２】
【補正対象書類名】特許請求の範囲
【補正対象項目名】請求項１０
【補正方法】変更
【補正の内容】
【請求項１０】
さらに、前記平面検出器が前記保持部に装着されているか否かを検知する装着検知手段を有し、
前記制御部は、前記検知の結果に応じて制御を行うことを特徴とする請求項１〜９のいずれか１項に記載の放射線撮像装置。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
遊技盤に配設され、内側に窓部を有する枠状の装飾枠部材と、
該装飾枠部材の後方に配設され、前記窓部を通して視認可能な表示手段と、
前記装飾枠部材の下部に収容されるとともに昇降可能に支持され、上昇させることにより前記窓部内に出現する表示枠部と、
該表示枠部を昇降させる昇降機構と、
前記表示枠部が前記窓部内に出現した際、前記表示手段の表示画面を、前記表示枠部の内側を通して視認される第一表示領域と、前記表示枠部の外側において視認される第二表示領域とに区分けし、前記第一表示領域及び前記第二表示領域に対して互いに異なる演出画像を表示させる演出表示制御手段と、
前記第一表示領域と前記第二表示領域との相対位置を、前記表示枠部の昇降に追随させて変位させる領域変位制御手段と
を具備することを特徴とする遊技機。
【請求項２】
前記表示枠部は、円環状の窓枠を有し、該窓枠には、前記表示手段とは関係なく発光する電飾部が設けられてなる
請求項１に記載の遊技機。
【請求項３】
前記電飾部は、前記表示枠部の窓枠に沿うように円環状をもって形成されてなる
請求項２に記載の遊技機。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
遊技盤の盤面よりも遊技者側に突出して配設された枠状の装飾フレームと、
該装飾フレームに囲まれて前記遊技盤に形成された開口部と、
前記装飾フレームの外側にて設けられる遊技領域の遊技媒体を、前記装飾フレームの内側に誘導する誘導口と、
前記誘導口により前記装飾フレームの内側に誘導された遊技媒体を、当該装飾フレーム内の前記開口部による内側空間にて横断させる横断誘導部材と
を具備することを特徴とする遊技機。
【請求項２】
請求項１に記載の遊技機において、
前記装飾フレームの外側にて設けられる遊技領域の遊技媒体が前記誘導口により誘導されることを検出する入賞状態検出手段
をさらに備えることを特徴とする遊技機。
【請求項３】
請求項２に記載の遊技機において、
前記入賞状態検出手段による検出に基づいて所定数の遊技球を払出す払出装置
をさらに備えることを特徴とする遊技機。
【手続補正２】
【補正対象書類名】明細書
【補正対象項目名】０００９
【補正方法】変更
【補正の内容】
【０００９】
構成１：遊技盤の盤面よりも遊技者側に突出して配設された枠状の装飾フレームと、
該装飾フレームに囲まれて前記遊技盤に形成された開口部と、
前記装飾フレームの外側にて設けられる遊技領域の遊技媒体を、前記装飾フレームの内側に誘導する誘導口と、
前記誘導口により前記装飾フレームの内側に誘導された遊技媒体を、当該装飾フレーム内の前記開口部による内側空間にて横断させる横断誘導部材と
を具備することを特徴とする遊技機。
構成２：構成１に記載の遊技機において、
前記装飾フレームの外側にて設けられる遊技領域の遊技媒体が前記誘導口により誘導されることを検出する入賞状態検出手段
をさらに備えることを特徴とする遊技機。
構成３：構成２に記載の遊技機において、
前記入賞状態検出手段による検出に基づいて所定数の遊技球を払出す払出装置
をさらに備えることを特徴とする遊技機。
【手続補正３】
【補正対象書類名】明細書
【補正対象項目名】００１０
【補正方法】変更
【補正の内容】
【００１０】
手段１：「遊技盤の盤面よりも遊技者側に突出して配設された枠状の装飾フレームと、
該装飾フレームに囲まれて前記遊技盤に形成された開口部と、
前記装飾フレームの上部に形成され、遊技領域の遊技媒体を入賞可能とする入賞口と、
前記遊技盤の盤面よりも遊技者側に突出して配設され、通過する遊技媒体を視認可能とする通路部材からなり、前記入賞口に入賞した遊技媒体を、前記装飾フレームの前面開口部内の空間にて横断させる横断誘導部材とを具備する」ことを特徴とする。
ここで、「装飾フレーム」としては、遊技領域の略中央に配設されたセンターフレームを例示することができる。また、「入賞口」は常に開放されていてもよく、可動片等によって開閉制御されるものであってもよい。また、「横断誘導部材」は水平状態に延設させるように配置してもよいが、通路部材内での遊技媒体の停留または逆流を防止できるよう、下流側に向かって僅かに下り勾配に配置することが好ましい。なお、「通過する遊技媒体を視認可能とする」とは、遊技媒体の挙動が視認できるように構成されていればよく、透明部材や半透明部材等、光透過性の部材で構成してもよく、通路を樋状に形成してもよい。また、横断誘導部材の全てに対して視認可能としてもよく、部分的に視認可能としてもよい。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
遊技領域に配設され、遊技媒体が入球可能な入賞口と、
軸心方向が略垂直方向となるように螺旋状に形成され、前記入賞口に入賞した遊技媒体を所定の第一領域まで誘導する内側誘導通路と、
該内側誘導通路を囲むように螺旋状に形成され、前記入賞口に入賞した遊技媒体を所定の第二領域まで誘導する外側誘導通路と、
前記入賞口に入賞した遊技媒体を、前記内側誘導通路と前記外側誘導通路とに振分ける振分装置と
を具備することを特徴とする遊技機。
【請求項２】
請求項１に記載の遊技機において、
前記入賞口に遊技球が入賞したことを検出する入賞状態検出手段と、
前記入賞状態検出手段による遊技球の検出に基づいて所定数の遊技球を払出す払出装置と
をさらに備えることを特徴とする遊技機。
【請求項３】
前記内側誘導通路、及び前記外側誘導通路は、光透過性の部材で形成されてなる
請求項１または２に記載の遊技機。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
遊技領域に配設され遊技媒体が入賞可能な入賞口と、
夫々外周に沿って開口した凹状の特定領域、普通領域、及びリターン領域を有し、回転可能に支持された回転体と、
該回転体を回転させる回転駆動手段と、
前記回転体の周囲を囲う外周壁と、
該外周壁に形成され、前記回転体の回転に伴って前記特定領域、前記普通領域、及び前記リターン領域に一時的に連通される流入口と、
前記入賞口に入賞した遊技媒体を前記流入口に案内する案内通路と、
前記特定領域に入球した遊技媒体を前記特定領域から流出させる第一流出口と、
前記普通領域に入球した遊技媒体を前記普通領域から流出させる第二流出口と、
前記リターン領域に入球した遊技媒体を前記リターン領域から流出させるリターン流出口と、
該リターン流出口から流出した遊技媒体を再び前記流入口に戻すリターン通路と、
前記第一流出口から遊技媒体が流出したことに基づいて、遊技者に有利となる有利遊技状態を発生させる有利遊技状態発生手段と
を具備することを特徴とする遊技機。
【請求項２】
請求項１に記載の遊技機において、
前記回転体の回転速度を定期的に異なる速度に切替える速度切替手段
をさらに備えることを特徴とする遊技機。
【請求項３】
請求項１または２に記載の遊技機において、
前記入賞口に遊技球が入賞したことを検出する入賞状態検出手段と、
前記入賞状態検出手段による遊技球の検出に基づいて所定数の遊技球を払出す払出装置と、
をさらに備えることを特徴とする遊技機。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
遊技の制御を実行する制御装置に、識別情報が記憶された不正監視用の識別手段を設けた遊技機において、
非接触状態で前記識別情報を読み取る情報読取手段と、
所定のタイミングで前記識別情報の読み取りを開始するよう前記情報読取手段を制御する開始制御手段と、
前記開始制御が実行されてから予め定められた期間内に、前記情報読取手段が前記識別情報を読み取ったか否かを判定する判定手段と、
当該判定手段により前記識別情報を読み取っていないと判定された場合に、異常処理を実行する異常処理実行手段と
を備えたことを特徴とする遊技機。
【請求項２】
前記識別手段として、前記制御装置に設けられた第１識別手段と、当該制御装置とは別の制御装置、又は遊技媒体の付与に関連した媒体付与関連装置に設けられた第２識別手段とを備え、
前記情報読取手段は、前記第１識別手段及び前記第２識別手段の両方から識別情報を読み取り、
前記判定手段は、前記情報読取手段が前記第１識別手段及び前記第２識別手段の両方から識別情報を読み取ったか否かを判定し、
前記異常処理実行手段は、前記判定手段により両方の識別情報を読み取っていないと判定された場合に、前記異常処理を実行することを特徴とする請求項１に記載の遊技機。
【請求項３】
前記第１識別手段に記憶された第１識別情報と前記第２識別手段に記憶された第２識別情報とを、同一の特定情報を有するように設定し、
前記判定手段は、前記特定情報を有する２つの識別情報を前記情報読取手段が読み取ったか否かを判定し、
前記異常処理実行手段は、前記判定手段により前記特定情報を有する２つの識別情報を読み取っていないと判定された場合に、前記異常処理を実行することを特徴とする請求項２に記載の遊技機。
【請求項４】
報知手段を制御する報知制御装置を、前記識別手段を有する制御装置とは別に備え、
当該報知制御装置は、前記異常処理実行手段を備えるとともに、少なくとも前記判定手段を備え、
前記異常処理実行手段は、前記異常処理として異常報知を実行するよう前記報知手段を制御するものであることを特徴とする請求項１乃至３のいずれか１に記載の遊技機。
【請求項５】
遊技球が流下する遊技領域と、当該遊技領域に向けて遊技球を発射する遊技球発射装置と、当該遊技球発射装置による遊技球の発射を実行させるべく操作される発射操作手段とを備え、
前記情報読取手段は、前記識別情報を呼び出す呼出波を出力する呼出波出力手段と、前記識別手段からの応答波を入力する応答波入力手段とを備えるとともに、
前記開始制御手段は、前記発射操作手段が操作されている間は前記開始制御を行わないようにする開始規制手段を備えたことを特徴とする請求項１乃至４のいずれか１に記載の遊技機。
【請求項６】
遊技球が流下する遊技領域と、当該遊技領域に設けられ、流下する遊技球が入球可能な賞球用入球部と、前記遊技領域に向けて遊技球を発射する遊技球発射装置と、当該遊技球発射装置による遊技球の発射を実行させるべく操作される発射操作手段と、前記賞球用入球部への入球に基づいて所定数の遊技球を払い出す払出装置と、を備え、
前記情報読取手段は、前記識別情報を呼び出す呼出波を出力する呼出波出力手段と、前記識別手段からの応答波を入力する応答波入力手段とを備えるとともに、
前記開始制御手段は、前記払出装置により遊技球が払い出されている間は前記開始制御を行わないようにする開始規制手段を備えたことを特徴とする請求項１乃至４のいずれか１に記載の遊技機。
【請求項７】
絵柄を可変表示する絵柄表示装置と、前記絵柄の可変表示を開始させるべく操作される始動操作手段と、前記絵柄の可変表示を停止させるべく操作される停止操作手段とを備え、
前記情報読取手段は、前記識別情報を呼び出す呼出波を出力する呼出波出力手段と、前記識別手段からの応答波を入力する応答波入力手段とを備えるとともに、
前記開始制御手段は、前記始動操作手段が操作されてから前記絵柄の可変表示が終了するまでは前記開始制御を行わないようにする開始規制手段を備えたことを特徴とする請求項１乃至４のいずれか１に記載の遊技機。
【請求項８】
絵柄を可変表示する絵柄表示装置と、前記絵柄の可変表示を開始させるべく操作される始動操作手段と、前記絵柄の可変表示を停止させるべく操作される停止操作手段と、前記停止操作手段の操作後における停止絵柄に応じて遊技媒体を払い出す払出装置と、を備え、
前記情報読取手段は、前記識別情報を呼び出す呼出波を出力する呼出波出力手段と、前記識別手段からの応答波を入力する応答波入力手段とを備えるとともに、
前記開始制御手段は、前記払出装置により遊技媒体が払い出されている間は前記開始制御を行わないようにする開始規制手段を備えたことを特徴とする請求項１乃至４のいずれか１に記載の遊技機。
【請求項９】
遊技媒体の付与に関連した媒体付与関連装置に、識別情報が記憶された不正監視用の識別手段を設けた遊技機であって、
非接触状態で前記識別情報を読み取る情報読取手段と、
所定のタイミングで前記識別情報の読み取りを開始するよう前記情報読取手段を制御する開始制御手段と、
前記開始制御が実行されてから予め定められた期間内に、前記情報読取手段が前記識別情報を読み取ったか否かを判定する判定手段と、
当該判定手段により前記識別情報を読み取っていないと判定された場合に、異常処理を実行する異常処理実行手段と
を備えたことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関するものである。
【手続補正４】
【補正対象書類名】明細書
【補正対象項目名】０００５
【補正方法】変更
【補正の内容】
【０００５】
本発明は、識別情報が記憶された不正監視用の識別手段を備えた遊技機において、識別情報の読み取りに基づいた不正行為の確認を良好に行うことができる遊技機を提供することを目的とするものである。
【手続補正書】
【提出日】平成21年4月23日(2009.4.23)
【手続補正１】
【補正対象書類名】明細書
【補正対象項目名】００１６
【補正方法】変更
【補正の内容】
【００１６】
次に、中間ボトム７について、第７図を用いて説明する。
中間ボトム７では、側面視において上部が前方へ曲折された前側フレーム２３と側面視において上部が後方へ曲折された後側フレーム２４の両端部近傍に連結桁２５，２５が固着されている。また、前記前側フレーム２３と後側フレーム２４の両端部にはそれぞれ連結係合穴２３ａ，２３ａ，２４ａ，２４ａが穿たれている。さらに、前側フレーム２３と後側フレーム２４の正面視における中央部にはそれぞれ上下方向に長い係合穴２３ｂ，２４ｂが穿たれている。また、前記連結桁２５，２５間には複数の支持プレート２６，２６，・・・が固着されている。このように構成された中間ボトム７は、正面視において前記係合穴２３ｂ，２４ｂの中央を上下方向に通る線に対して左右対称となっている。
なお、本実施例では、中間ボトム７の左側に設けた前記連結係合穴２３ａ，２４ａを正面視において左側下がりの略々逆へ字形状とし、右側に設けた前記連結係合穴２３ａ，２４ａを正面視において右側下がりの略々へ字形状としている。
【手続補正２】
【補正対象書類名】明細書
【補正対象項目名】００２４
【補正方法】変更
【補正の内容】
【００２４】
したがって、この連動機構６，６によると、入浴者の頭が位置する側の側部ボトム５を背上げすると中間ボトム７の入浴者の腰が位置する側が下がるように回動される。また、入浴者の脚が位置する側の側部ボトム５を下方回動すると中間ボトム７の入浴者の膝が位置する側が上がるように回動される（第１２図の（ｃ）から（ｆ）図参照。）。これによって、側部ボトム５，５を起伏したときに、入浴者が足側へズレ動くことを防止できる。さらに、側部ボトム５，５の回動量にあわせて入浴者の膝が屈曲され、入浴者は自動的に安定した快適な姿勢をとれるようになる。
また、この連動機構６，６によると、どちらの側部ボトム５，５側に入浴者の頭がくるように入浴者をボトム５，５，７に乗せても、上述の作用と効果を得ることができる（第１２図の（ｃ）から（ｆ）図参照。）。すなわち、この連動機構６，６によると、どちらの側部ボトム５，５も、入浴者の背中を支持する背ボトムとして使用可能になると共に、入浴者の脚を支持する脚ボトムとしても使用可能になる。
さらに、この連動機構６，６と規制手段Ｒによると、前記保持手段８，８によって側部ボトム５，５を保持した状態では、中間ボトム７が動かないようになる。これにより、各ボトム５，５，７の各回動状態において、各ボトム５，５，７が不用意に動くことのない安定した状態で保持できる。よって、入浴者がボトム５，５，７上で快適に過ごせるようになる。
【手続補正３】
【補正対象書類名】明細書
【補正対象項目名】００２５
【補正方法】変更
【補正の内容】
【００２５】
なお、本実施例においては、中間ボトム７の左側に設けた前記連結係合穴２３ａ，２４ａを正面視において略々逆へ字形状をした左側下がりの形状とし、右側に設けた前記連結係合穴２３ａ，２４ａを正面視において略々へ字形状をした右側下がりの形状としている。しかしながら、前記連動機構６，６と同様の作用を得るためなら、連結係合穴の形状は、側部ボトム５，５の回動に伴って前記連結軸２８，２８が回動されるときに、該連結軸２８，２８がそれぞれ挿通されている各連結係合穴に沿って摺動可能かつ前記連結軸２８，２８に対して中間ボトム７が回動可能な、上下方向に長い長穴形状を除いたものであれば良い。例示すると、連結係合穴の形状を左右方向に長い形状の長穴としてもよい。このようにすると、側部ボトム５を最大限背上げしたときの中間ボトム７の回動量が、上述の連結係合穴２３ａ，２３ａ，２４ａ，２４ａの場合と比べて大きくなる。また、中間ボトム７の左側の連結係合穴を左側下がりの長穴形状とし、右側の連結係合穴を右側下がりの長穴形状としても良い。このようにすると、例えば、側部ボトム５を水平な状態から背上げした際に、中間ボトム７が回動されるときのその変化量を、側部ボトム５を背上げするに連れて徐々に少なくなるようにできる。なお、側部ボトム５を例えば水平な状態から背上げする際には、その初期段階では、中間ボトム７が大きく回動されるようにして、入浴者が足側へズレ動くことを防止できるようにすることが望まれる。また、中間ボトム７がある程度回動されてからは、中間ボトム７が回動されるときのその変化量を小さくして、側部ボトム５を最大限に背上げしたときに、入浴者が腰部に圧迫感を感じない程度に中間ボトム７が回動されるようにすることが望まれる。よって、例示した連結係合穴を組合わせることで、上述の条件を得られるようにした上述の連結係合穴２３ａ，２３ａ，２４ａ，２４ａの形状が最も望ましい。
また、本実施例においては、連結係合穴２３ａ，２３ａ，２４ａ，２４ａと連結軸２８，２８を用いて連動機構６，６を構成している。しかしながら、連結係合穴２３ａ，２３ａ，２４ａ，２４ａと連結軸２８，２８の代わりに、レールと、該レールに沿って摺動可能なローラーを用いて連動機構を構成して、側部ボトム５，５を回動操作したときに、ローラーがレールに沿って摺動することで、中間ボトム７を上述のように回動させるようにしても良い。すなわち、連動機構は、側部ボトム５，５の回動方向と逆方向に回動される側部ボトム５，５に設けた従動部材によって、中間ボトム７の両端部を支持し、一方の側部ボトム５を回動操作したときに、該側部ボトム５に設けた前記従動部材が、中間ボトム７の回動操作した側部ボトム５隣接側を押し上げたり押し下げたりすることで、中間ボトム７が他方の側部ボトム５に設けた従動部材を中心に傾斜するように回動する構成としてあれば良く、本実施例に限定するものではない。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
遊技領域に配設され遊技媒体が入賞可能な入賞口と、
揺動片回転軸にて回転可能に支持され、上面に遊技媒体を載置可能であり、周縁部に流出部が形成されている揺動片、
及び、前記揺動片回転軸を中心として前記揺動片を回動させる揺動片可動手段を備える揺動装置と、
前記入賞口に入賞した遊技媒体を前記揺動装置に案内する第一案内通路と、
前記揺動片の前記流出部から流出した遊技媒体を流下させる第二案内通路と、
回転可能に支持され、外周に沿って開口した凹形状を呈する特定領域、普通領域、及びリターン領域が形成された回転体、
該回転体を回転させる回転駆動手段、
前記回転体の周囲を囲う外周壁、
前記第二案内通路の下流側端部に接合し、前記外周壁に形成され、前記回転体の回転に伴って前記特定領域、前記普通領域または前記リターン領域に対して一時的に連通される流入口、
及び、前記外周壁の奥側の前記流入口より高い位置に形成され、前記回転体の回転に伴って前記リターン領域に対して一時的に連通され、前記流入口から前記リターン領域に入球した遊技媒体を流出させて前記第一案内通路に戻すリターン口を備える回転式振分装置と、
前記回転式振分装置における前記回転体の前記特定領域に連通し、該特定領域に入球した遊技媒体を流出させる第一流出路と、
前記回転体の前記普通領域に連通し、該普通領域に入球した遊技媒体を流出させる第二流出路と、
前記第一流出路に前記遊技媒体が流出したことに基づいて、遊技者に有利となる有利遊技状態を発生させる有利遊技状態発生手段とを具備することを特徴とする遊技機。
【請求項２】
前記第一案内通路の揺動装置側の端部に形成された上流側開放端と、
前記第二案内通路の揺動装置側の端部に形成された下流側開放端と、
前記揺動片の周縁部に形成された揺動片外周壁と、
該揺動片外周壁における上流側開放端と接する箇所に切欠かれた揺動片流入口とを更に具備し、
前記揺動片流入口が、前記上流側開放端に対して同じ高さ又は若干低い高さであり、且つ、前記揺動片が回動して傾斜し、前記流出部が下がった状態の時に、前記流出部の底部の高さが前記下流側開放端の底部の高さと同じ又は若干高い高さとなる位置に、前記揺動片、前記上流側開放端、及び、前記下流側開放端が配設されている
請求項１に記載の遊技機。
【請求項３】
前記揺動装置近傍に配設され、遊技媒体を第二案内通路に送出せずに揺動装置の外部へと流出させる賞外流出路と、
該賞外流出路の上流側端部に形成された賞外流出路開放端とを具備し、
前記流出部が、前記揺動片における前記賞外流出路開放端と接する箇所に形成された賞外流出路側出口及び案内通路側出口により構成される
請求項１または２に記載の遊技機。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面側に設けられ、前記基板ケースと前記遊技機本体の背面とを離間させた状態で前記制御装置を装着し、それら基板ケースと遊技機本体の背面との間に隙間領域を形成する台座部材と、
を備え、
前記隙間領域にスペーサ部材を設けるとともに、当該スペーサ部材を前記遊技機本体に対して回動可能な状態で結合する結合部を設けたことを特徴とする遊技機。
【請求項２】
前記遊技機本体側と前記スペーサ部材のいずれか一方に支軸部を設けると共に他方に軸受部を設け、前記支軸部及び前記軸受部と同一軸線上となる位置に前記結合部をそれぞれ設けると共に前記結合部を軸部材により結合状態としたことを特徴とする請求項１に記載の遊技機。
【請求項３】
前記結合部を前記台座部材によって覆う構成としたことを特徴とする請求項２に記載の遊技機。
【請求項４】
前記スペーサ部材は、全体として中空の立体形状をなし、その外郭部により形成される中空部を細分化する空間細分化部を有することを特徴とする請求項１乃至３のいずれか１に記載の遊技機。
【請求項５】
前記スペーサ部材を少なくとも一方に開口する立体形状とし、前記スペーサ部材の開口側が前記台座部材と対向するように前記スペーサ部材を設けたことを特徴とする請求項４に記載の遊技機。
【請求項６】
遊技に関する制御を司る制御基板、及び該制御基板を収容する基板ケースを有する制御装置と、
遊技機本体の背面側に設けられ、前記基板ケースと前記遊技機本体の背面とを離間させた状態で前記制御装置を装着し、それら基板ケースと遊技機本体の背面との間に隙間領域を形成する台座部材と、
を備え、
前記隙間領域にスペーサ部材を設けるとともに、該スペーサ部材を前記遊技機本体に対して所定方向にスライド移動可能な状態で結合する結合部を設けたことを特徴とする遊技機。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして斑点状に接触する複数の凸部が形成されてあることを特徴とする洗車機用洗浄ブラシのブラシ片。
【請求項２】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして筋状に接触する複数の凸部が形成されてあることを特徴とする洗車機用洗浄ブラシのブラシ片。
【請求項３】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいしてリング状に接触する複数の凸部が形成されてあることを特徴とする洗車機用洗浄ブラシのブラシ片。
【請求項４】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして概波状に接触する複数の凸部が形成されてあることを特徴とする洗車機用洗浄ブラシのブラシ片。
【請求項５】
自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面あるいは内面に前記ブラシ片の硬度よりも大の硬度を有する芯材が形成されてあることを特徴とする洗車機用洗浄ブラシのブラシ片。
【請求項６】
請求項１から５のいずれか１項に記載の洗車機用洗浄ブラシのブラシ片を配した洗車機用洗浄ブラシ。
【請求項７】
駆動源と、被洗浄面に散布する洗浄剤及び水を噴出させるノズルと、洗浄後の被洗浄面を乾燥させる乾燥手段を備えると共に、請求項６記載の洗車機用洗浄ブラシを搭載した洗車機。
【手続補正２】
【補正対象書類名】明細書
【補正対象項目名】０００９
【補正方法】変更
【補正の内容】
【０００９】
また、第２の課題解決手段は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして筋状に接触する複数の凸部が形成されてある構成としたものである。
【手続補正３】
【補正対象書類名】明細書
【補正対象項目名】００１０
【補正方法】変更
【補正の内容】
【００１０】
また、第３の課題解決手段は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいしてリング状に接触する複数の凸部が形成されてある構成としたものである。
【手続補正４】
【補正対象書類名】明細書
【補正対象項目名】００１１
【補正方法】変更
【補正の内容】
【００１１】
また、第４の課題解決手段は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面に被洗浄面にたいして概波状に接触する複数の凸部が形成されてある構成としたものである。
【手続補正５】
【補正対象書類名】明細書
【補正対象項目名】００１２
【補正方法】変更
【補正の内容】
【００１２】
また、第５の課題解決手段は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面あるいは内面に前記ブラシ片の硬度よりも大の硬度を有する芯材が形成されてある構成としたものである。
【手続補正６】
【補正対象書類名】明細書
【補正対象項目名】００２２
【補正方法】変更
【補正の内容】
【００２２】
第５の発明は、自動車あるいは車両の外面の被洗浄面に付着した汚れ等を洗浄する為の洗車機に使用する洗車機用洗浄ブラシのブラシ片において、前記ブラシ片は合成樹脂発泡体にて平板状にて形成されてあり、前記ブラシ片の少なくとも片面あるいは内面に前記ブラシ片の硬度よりも大の硬度を有する芯材が形成されてある為、ブラシ片が被洗浄面に接触した時に、芯材はブラシ片を片面から押し付ける事ができる。その為、極めて強い毛腰を被洗浄面に付与できるので、洗浄性の向上が図られる。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
内視鏡の処置具案内管に挿脱して使用される内視鏡用処置具であって、可撓性シースの先端部分に配置された先端処置片を基端側から動作させるための操作ワイヤーが前記可撓性シース内に緩く挿通された構成の内視鏡用処置具において、
前記操作ワイヤーとして前記可撓性シースより回転追従性の大きな可撓性ワイヤーが用いられて、前記可撓性シースと前記操作ワイヤーとが基端側においては軸周りに一体的に回転して、先端側においては各々が独立して軸周りに回転するように構成されていることを特徴とする内視鏡用処置具。
【請求項２】
請求項１に記載された内視鏡用処置具において、前記先端処置片を支持する先端本体が、前記可撓性シースの先端に軸周りに回転自在に且つ軸方向には移動できない状態に連結されている内視鏡用処置具。
【請求項３】
請求項１又は２に記載された内視鏡用処置具において、前記可撓性シースが柔軟な密着巻きコイルにより形成されている内視鏡用処置具。
【請求項４】
請求項１又は２に記載された内視鏡用処置具において、前記可撓性シースが柔軟な密着巻きコイルに柔軟な電気絶縁性チューブを被覆して形成されている内視鏡用処置具。
【請求項５】
請求項１又は２に記載された内視鏡用処置具において、前記可撓性シースが合成樹脂チューブで形成されている内視鏡用処置具。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
触媒と着磁性金属製充填補助材の混合物から磁石により当該金属製充填補助材を捕集し、触媒と金属製充填補助材とを分離する方法。
【手続補正２】
【補正対象書類名】明細書
【補正対象項目名】００１０
【補正方法】変更
【補正の内容】
【００１０】
本発明の触媒と金属製充填補助材の分離方法は、着磁性の金属製充填補助材（以下、単に「金属製充填補助材」とも言う）を用い、磁石によりこれを捕集し分離操作を行う方法である。
【手続補正３】
【補正対象書類名】明細書
【補正対象項目名】００１１
【補正方法】変更
【補正の内容】
【００１１】
本発明の金属製充填補助材の分離方法は、種々の触媒と金属製充填補助材に適用されるが、固定床反応で使用される気相接触酸化反応用の触媒と金属製充填補助材との分離を例として以下に説明する。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
下記の一般式（１）、
ａ［（ＭＩ1-c-dＳｒcＥｕd）（Ｍｇ1-eＭｎe）］Ｏ2・ｂＡｌ2Ｏ3        （１）
（式（１）中、ＭＩはＣａおよびＢａから選ばれる少なくとも１種の元素を示し、ａ，ｂ，ｃ，ｄ，ｅは、０．１≦ａ／ｂ≦１．０、０．２≦ｃ≦０．８、０．０１≦ｄ≦０．５、０≦ｅ≦０．０５を満足する数である)
で実質的に表される、２価のユ−ロピウム、あるいは２価のユ−ロピウムおよびマンガンで付活されたアルミン酸塩蛍光体からなる、青色系発光蛍光体。
【請求項２】
ＭＩがＢａである請求項１記載の青色系発光蛍光体。
【請求項３】
ｅが０である、２価のユ−ロピウムで付活された請求項１記載の青色系発光蛍光体。
【請求項４】
１次光を発する発光素子と、
前記１次光の少なくとも一部を吸収して前記１次光と同じまたは前記１次光より長い波長を有する２次光を発する波長変換部と、
を備えた発光装置であって、前記波長変換部は１種以上の蛍光体からなり、かつ前記蛍光体が請求項１記載の青色系発光蛍光体を含む、発光装置。
【請求項５】
前記波長変換部は青色系発光蛍光体、緑色系発光蛍光体、赤色系発光蛍光体からなり、かつ、前記波長変換部の光路において、前記蛍光体が、発生させる２次光の波長の長い蛍光体から順に積層される、請求項４記載の発光装置。
【請求項６】
前記緑色系発光蛍光体は、
下記一般式（２）、
ａ（ＭＩＩ，Ｅｕf，Ｍｎg）Ｏ・ｂＡｌ2Ｏ3        （２）
（式（２）中、ＭＩＩはＭｇ、Ｃａ、Ｓｒ、ＢａおよびＺｎから選ばれる少なくとも１種の元素を示し、ａ，ｂ，ｆ，ｇは、ａ＞０、ｂ＞０、０．１≦ａ／ｂ≦１．０、０．３≦ｇ／ｆ≦５．０を満足する数である)
で実質的に表される、２価のユ−ロピウムおよびマンガンで付活されたアルミン酸塩蛍光体、
下記一般式（３）、
２（ＭＩＩＩ1-hＥｕh）Ｏ・ＳｉＯ2        （３）
（式（３）中、ＭＩＩＩはＭｇ、Ｃａ、ＳｒおよびＢａから選ばれる少なくとも１種の元素を示し、ｈは、０．００５≦ｈ≦０．１０を満足する数である)
で実質的に表される、２価のユ−ロピウムで付活された珪酸塩蛍光体、
下記一般式（４）、
（Ｓｒ1-mＥｕm）Ｏ・Ａｌ2Ｏ3      （４）
（式（４）中、ｍは、０．０００１≦ｍ≦０．３を満足する数である）
で実質的に表される、２価のユ−ロピウムで付活されたアルミン酸ストロンチウム蛍光体、
から選ばれる少なくとも１種からなる、請求項５記載の発光装置。
【請求項７】
前記赤色系発光蛍光体は、下記一般式（５）、
（ＭＩＩＩ1-kＥｕk）ＭＩＶＳｉＮ3        （５）
（式（５）中、ＭＩＩＩはＭｇ、Ｃａ、ＳｒおよびＢａから選ばれる少なくとも１種の元素を示し、ＭＩＶはＡｌ、Ｇａ、Ｉｎ、Ｓｃ、Ｙ、Ｌａ、ＧｄおよびＬｕから選ばれる少なくとも１種の元素を示し、ｋは、０．００１≦ｋ≦０．０５を満足する数である）
で実質的に表される、２価のユ−ロピウムで付活された窒化物蛍光体からなる、請求項５記載の発光装置。
【請求項８】
前記発光素子は窒化ガリウム（ＧａＮ）系半導体であり、前記発光素子から発する前記１次光のピ−ク波長が３８０ｎｍ〜４３０ｎｍの範囲にある、請求項４記載の発光装置。
【手続補正２】
【補正対象書類名】明細書
【補正対象項目名】００１０
【補正方法】変更
【補正の内容】
【００１０】
本発明は、下記の一般式（１）、
ａ［（ＭＩ1-c-dＳｒcＥｕd）（Ｍｇ1-eＭｎe）］Ｏ2・ｂＡｌ2Ｏ3        （１）
（式（１）中、ＭＩはＣａおよびＢａから選ばれる少なくとも１種の元素を示し、ａ，ｂ，ｃ，ｄ，ｅは、０．１≦ａ／ｂ≦１．０、０．２≦ｃ≦０．８、０．０１≦ｄ≦０．５、０≦ｅ≦０．０５を満足する数である)、
で実質的に表される、２価のユ−ロピウム、あるいは２価のユ−ロピウムおよびマンガンで付活されたアルミン酸塩蛍光体からなる青色系発光蛍光体に関する。
【手続補正３】
【補正対象書類名】明細書
【補正対象項目名】００２０
【補正方法】変更
【補正の内容】
【００２０】
すなわち、本発明の青色系発光蛍光体は、下記の一般式（１）、
ａ［（ＭＩ1-c-dＳｒcＥｕd）（Ｍｇ1-eＭｎe）］Ｏ2・ｂＡｌ2Ｏ3        （１）
（式（１）中、ＭＩはＣａおよびＢａから選ばれる少なくとも１種の元素を示し、ａ，ｂ，ｃ，ｄ，ｅは、０．１≦ａ／ｂ≦１．０、０．２≦ｃ≦０．８、０．０１≦ｄ≦０．５、０≦ｅ≦０．０５を満足する数である)
で実質的に表される、２価のユ−ロピウム、あるいは２価のユ−ロピウムおよびマンガンで付活されたアルミン酸塩蛍光体からなる青色系発光蛍光体である。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
ベジタリアンアミノ酸またはペプチドを含有するが動物性生成物を含まない培地中で黄色ブドウ球菌[Staphylococcus aureus （S. aureus）]の分泌株を発酵させて、プロテインAを生成する工程；
プロテインA含有培地を回収する工程；ならびに
プロテインA含有培地を、動物性生成物を含まないクロマトグラフィー用合成樹脂にアプライし、該樹脂からプロテインAを溶出させることによって、プロテインAを精製する工程
を含む、ベジタリアンプロテインAの生成方法。
【請求項２】
(a) 黄色ブドウ球菌が、Staph Imre分泌株である；および/または
(b) 発酵槽の接種に用いられる黄色ブドウ球菌の種がベジタリアン培地中に維持される；および/または
(c) 黄色ブドウ球菌を10〜24時間発酵させる；および場合によっては任意に、黄色ブドウ球菌を13〜14時間発酵させる；および/または
(d) 10mMのトリスヒドロキシメチルアミノメタンおよびNaClを用いたダイアフィルトレーションによってプロテインA含有培地のpHを約7.5〜8.5に調整し、導電率を2mS/cm以下に調節する；および/または
(e) プロテインA含有培地を精製のため陰イオン交換クロマトグラフィー用樹脂にアプライする；および/または
(f) 高さ約24cmのカラムで、約5.7〜7.9cm/分の直線流速でクロマグラフィーを行う、
請求項１記載の方法。
【請求項３】
少なくとも20mMのTrisHClおよびNaClを用いて、8mS/cmの導電率でプロテインAをプロテインA溶出液としてクロマトグラフィー用カラムから溶出させる、請求項１または２記載の方法であって、場合によっては任意に：
(a) pH 6.8の14mMのリン酸ナトリウムを用いたダイアフィルトレーションによって、プロテインA溶出液のpHを約6.5〜7.1に調整し、導電率を約1〜2mS/cmに調節する；および/または
(b) プロテインA溶出液を形成するために、10,000分子量分画点を有する膜を用いてプロテインA溶出液をダイアフィルトレーションする；および/または
(c) 10,000分子量フィルターを用いてプロテインA溶出液を約5〜20mg/mLに濃縮する工程およびプロテインA溶出液を中性pHに調整する工程をさらに含む；および/または
(d) リン酸バッファーを用いてプロテインA溶出液のpHを中性pHに調整する；および/または
(e) 工程3(b)の後に、プロテインA濾過液をクロマトグラフィー用ヒドロキシアパタイトカラムにアプライして非タンパク質性不純物を除去する工程およびクロマトグラフィー用ヒドロキシアパタイトカラムからプロテインAを溶出させる工程をさらに含み、場合によっては任意に、クロマトグラフィー用ヒドロキシアパタイトカラムにアプライしたプロテインA濾過液をpH 6.8の14mMのリン酸ナトリウムで洗浄し、pH 6.8の約370mMのリン酸ナトリウムで溶出させる；および場合によってはさらに任意に、クロマトグラフィー用ヒドロキシアパタイトカラム中の樹脂ベッドの高さが約20cmである；および/または
(f) 10,000分子量フィルターを用いてクロマトグラフィー用ヒドロキシアパタイトカラムからのプロテインA溶出液を約5〜20mg/mLに濃縮する工程およびプロテインA溶出液を中性pHに調整する工程をさらに含む；および/または
(g) リン酸バッファーを用いてプロテインA溶出液のpHを中性pHに調整する、
方法。
【請求項４】
本質的にイーストエクストラクト、ダイズペプチド、グルコースおよび必須の塩からなる培地中でStaph Imreを発酵させてプロテインAを生成する工程；
プロテインA含有培地を回収する工程；
動物性生成物を含まない強陰イオン交換樹脂にプロテインA含有培地をアプライし、プロテインAを該樹脂から溶出させることによって、プロテインAを精製する工程
を含む、請求項１〜３いずれか記載の方法。
【請求項５】
請求項１〜４いずれか記載の方法によって任意に生成されるかまたは生成可能なベジタリアンプロテインA。
【請求項６】
ベジタリアンプロテインA−クロマトグラフィー用樹脂を形成するためにクロマトグラフィー用樹脂に固定されてなる、請求項５記載のベジタリアンプロテインA。
【請求項７】
(a) クロマトグラフィー用樹脂が合成ポリマーまたは非晶質の物質であり；場合によっては任意に：
(i) 合成ポリマーがポリメタクリレートまたはポリガラクトースである；
(ii) 非晶質の物質がシリカまたは珪藻土である；および/または
(b) ベジタリアンプロテインAのカルボキシル基またはアミノ基をクロマトグラフィー用樹脂の化学官能基と反応させることによって生成される、
ベジタリアンプロテインA−クロマトグラフィー用樹脂。
【請求項８】
請求項５または６記載のベジタリアンプロテインAまたは請求項７記載の樹脂および適切な担体を含有する医薬組成物。
【請求項９】
治療に使用するための、請求項５または６記載のベジタリアンプロテインA、請求項７記載の樹脂および請求項８記載の医薬組成物から選ばれる生成物。
【請求項１０】
治療が、
(a) サイトカインまたはクリオグロブリンの産生を刺激するため；および/または
(b) 感染または易感染性免疫系の治療；および/または
(c) 後天性血友病に関する；および/または
(d) 自己免疫疾患または免疫関連の問題；および任意に、自己免疫疾患が慢性関節リウマチまたは拡張型心筋症である、または免疫関連の問題が対宿主性移植片病である、に関する
である、請求項９記載の生成物。
【請求項１１】
患者の血流への注射による投与に適切である、請求項９または１０記載の生成物。
【請求項１２】
抗体または抗体断片を請求項７記載のベジタリアンプロテインA−クロマトグラフィー用樹脂にアプライする工程を含む、抗体または抗体断片をクロマトグラフィー用樹脂に結合させる方法。
【請求項１３】
抗体または抗体断片を精製するためにそれらをベジタリアンプロテインA−クロマトグラフィー用樹脂にアプライする、請求項１２記載の方法。
【請求項１４】
請求項１３記載の方法で生成されるかまたは生成可能な、精製された抗体または抗体断片および適切な担体を含有する、医薬組成物。
【請求項１５】
治療に使用するための、請求項１４記載の医薬組成物。
【請求項１６】
患者を癌に関して治療するための、請求項１５記載の組成物。